(57)【要約】【課題】或る場所で或る時刻に存在したことの証明に役立つ認証技術を提供することである。【解決手段】携帯端末装置とサーバとを具備してなる認証システムで、  前記携帯端末装置は、撮影手段と、位置情報獲得手段と、通信手段と、前記撮影手段で得た画像情報、前記位置情報獲得手段で得た位置情報、及び該携帯端末装置の識別情報を、前記通信手段を介して送信させる制御手段とを備え、  前記サーバは、通信手段と、記憶手段と、タイマと、前記携帯端末装置から送信されて来た情報を該サーバの通信手段が受信した際の前記タイマによる受信時刻情報と、該サーバの通信手段が受信した情報とを関連付けて前記記憶手段に記憶させる制御手段とを備える。【選択図】図１
2009003760.tif 000002
【特許請求の範囲】
【請求項１】
携帯端末装置とサーバとを具備してなる認証システムであって、
前記携帯端末装置は、
撮影手段と、
位置情報獲得手段と、
通信手段と、
前記撮影手段で得た画像情報、前記位置情報獲得手段で得た位置情報、及び該携帯端末装置の識別情報を、前記通信手段を介して送信させる制御手段
とを備え、
前記サーバは、
通信手段と、
記憶手段と、
タイマと、
前記携帯端末装置から送信されて来た情報を該サーバの通信手段が受信した際の前記タイマによる受信時刻情報と、該サーバの通信手段が受信した情報とを関連付けて前記記憶手段に記憶させる制御手段
とを備えた
ことを特徴とする認証システム。
【請求項２】
携帯端末装置とサーバとを具備してなる認証システムであって、
前記携帯端末装置は、
撮影手段と、
位置情報獲得手段と、
タイマと、
通信手段と、
前記撮影手段で得た画像情報、前記位置情報獲得手段で得た位置情報、前記タイマで得た時刻情報、及び該携帯端末装置の識別情報を、前記通信手段を介して送信させる制御手段
とを備え、
前記サーバは、
通信手段と、
記憶手段と、
タイマと、
前記携帯端末装置から送信されて来た情報を該サーバの通信手段が受信した際の該サーバのタイマによる受信時刻情報と、該サーバの通信手段が受信した情報とを関連付けて前記記憶手段に記憶させる制御手段
とを備えた
ことを特徴とする認証システム。
【請求項３】
端末装置を更に具備してなり、
サーバの制御手段は、
前記端末装置から携帯端末装置の識別情報を受信した場合、該識別情報を基にして記憶手段に記憶されている情報を読み出させ、該読み出した情報を該端末装置に送信させるよう構成されてなる
ことを特徴とする請求項１又は請求項２の認証システム。
【請求項４】
携帯端末装置が撮影する撮影ステップと、
前記携帯端末装置が位置情報を獲得する位置情報獲得ステップと、
前記携帯端末装置が、前記撮影ステップで得た画像情報、前記位置情報獲得ステップで得た位置情報、及び該携帯端末装置の識別情報を送信する送信ステップと、
サーバが、前記送信ステップで送信されて来た情報を受信する受信ステップと、
前記サーバが、前記受信ステップで受信した情報と、該受信ステップで受信した受信時刻情報とを記憶する記憶ステップ
とを具備することを特徴とする認証方法。
【請求項５】
携帯端末装置が撮影する撮影ステップと、
前記携帯端末装置が位置情報を獲得する位置情報獲得ステップと、
前記携帯端末装置が、前記撮影ステップで得た画像情報、前記位置情報獲得ステップで得た位置情報、及び該携帯端末装置の識別情報を、サーバに送信する送信ステップと、
サーバが、前記送信ステップで送信されて来た情報を受信する受信ステップと、
前記サーバが、前記受信ステップで受信した情報と、該受信ステップで受信した受信時刻情報とを関連付けて記憶する記憶ステップと、
端末装置が、携帯端末装置の識別情報をサーバに送信する識別情報送信ステップと、
前記サーバが、前記識別情報送信ステップで送信されて来た情報を基にして、記憶している画像情報、位置情報、及び時刻情報を、前記端末装置に送信する送信ステップ
とを具備することを特徴とする認証方法。
【発明の詳細な説明】
【技術分野】
【０００１】
本発明は認証技術に関する。特に、或る場所で或る時刻に存在したことの証明に役立つ認証技術に関する。
【背景技術】
【０００２】
例えば、営業マンの評価は結果が全てで有るとは謂うものの、それに至る経過の評価も大事なことである。すなわち、営業成果が出ていないけれども、営業努力を行っている場合と、営業努力をしていない場合とで、評価が違うことは当然であろう。
【０００３】
しかしながら、営業努力しているのか、それとも営業努力していないのかは、管理者側には十分な把握が出来ていないのが現実である。すなわち、営業マンが電話連絡して来ても、本当に、その時に、その場所から、連絡をして来たのか否かは不明である。例えば、カメラ付き携帯電話で撮影画像が送信されて来ても、それが、何時、撮影されたものかは判らない。又、何処で撮影されたものかも判り難い。例えば、ビル街であれば、似たような風景であり、何処とは判別が付き難い。特に、ビル内の風景であれば、それが、何処とは判り難い。
【０００４】
又、土木・建築などの工事現場などでは、現在状況が如何なる状態であるかを知りたい要望が強い。このような時、携帯電話で撮影した画像を送信している。しかしながら、この場合でも、何処の場所で、何時、撮影したものであるかが、厳密には、不明である。例えば、工事は既に完了しているのに、高額な費用を請求する為、工事が難航していることを示そうとして、過去に撮影した画像を送信することも考えられる。或いは、似たような工事現場の撮影画像を送信することも考えられる。
【発明の開示】
【発明が解決しようとする課題】
【０００５】
さて、これまで、現在状況を証明する有効な技術が無い。
しかしながら、上述の通り、現在状況を証明する技術の要望は非常に高い。
【０００６】
従って、本発明が解決しようとする課題は、或る場所で或る時刻に存在したことの証明に役立つ認証技術を提供することである。
【課題を解決するための手段】
【０００７】
前記の課題は、
携帯端末装置とサーバとを具備してなる認証システムであって、
前記携帯端末装置は、
撮影手段と、
位置情報獲得手段と、
通信手段と、
前記撮影手段で得た画像情報、前記位置情報獲得手段で得た位置情報、及び該携帯端末装置の識別情報を、前記通信手段を介して送信させる制御手段
とを備え、
前記サーバは、
通信手段と、
記憶手段と、
タイマと、
前記携帯端末装置から送信されて来た情報を該サーバの通信手段が受信した際の前記タイマによる受信時刻情報と、該サーバの通信手段が受信した情報とを関連付けて前記記憶手段に記憶させる制御手段
とを備えた
ことを特徴とする認証システムによって解決される。
【０００８】
又、携帯端末装置とサーバとを具備してなる認証システムであって、
前記携帯端末装置は、
撮影手段と、
位置情報獲得手段と、
タイマと、
通信手段と、
前記撮影手段で得た画像情報、前記位置情報獲得手段で得た位置情報、前記タイマで得た時刻情報、及び該携帯端末装置の識別情報を、前記通信手段を介して送信させる制御手段
とを備え、
前記サーバは、
通信手段と、
記憶手段と、
タイマと、
前記携帯端末装置から送信されて来た情報を該サーバの通信手段が受信した際の該サーバのタイマによる受信時刻情報と、該サーバの通信手段が受信した情報とを関連付けて前記記憶手段に記憶させる制御手段
とを備えた
ことを特徴とする認証システムによって解決される。
【０００９】
又、上記の認証システムであって、端末装置を更に具備してなり、
サーバの制御手段は、
前記端末装置から携帯端末装置の識別情報を受信した場合、該識別情報を基にして記憶手段に記憶されている情報を読み出させ、該読み出した情報を該端末装置に送信させるよう構成されてなる
ことを特徴とする認証システムによって解決される。
【００１０】
又、携帯端末装置が撮影する撮影ステップと、
前記携帯端末装置が位置情報を獲得する位置情報獲得ステップと、
前記携帯端末装置が、前記撮影ステップで得た画像情報、前記位置情報獲得ステップで得た位置情報、及び該携帯端末装置の識別情報を送信する送信ステップと、
サーバが、前記送信ステップで送信されて来た情報を受信する受信ステップと、
前記サーバが、前記受信ステップで受信した情報と、該受信ステップで受信した受信時刻情報とを記憶する記憶ステップ
とを具備することを特徴とする認証方法によって解決される。
【００１１】
又、携帯端末装置が撮影する撮影ステップと、
前記携帯端末装置が位置情報を獲得する位置情報獲得ステップと、
前記携帯端末装置が、前記撮影ステップで得た画像情報、前記位置情報獲得ステップで得た位置情報、及び該携帯端末装置の識別情報を、サーバに送信する送信ステップと、
サーバが、前記送信ステップで送信されて来た情報を受信する受信ステップと、
前記サーバが、前記受信ステップで受信した情報と、該受信ステップで受信した受信時刻情報とを関連付けて記憶する記憶ステップと、
端末装置が、携帯端末装置の識別情報をサーバに送信する識別情報送信ステップと、
前記サーバが、前記識別情報送信ステップで送信されて来た情報を基にして、記憶している画像情報、位置情報、及び時刻情報を、前記端末装置に送信する送信ステップ
とを具備することを特徴とする認証方法によって解決される。
【発明の効果】
【００１２】
本発明によれば、何処に、何時、存在していたかの証明が非常に容易である。従って、例えば営業マンの評価に非常に有益である。又、工事現場の状況把握が正確に出来、非常に有益である。
【発明を実施するための最良の形態】
【００１３】
本発明の認証システムは、携帯端末装置とサーバとを具備してなる認証システムである。又、好ましくは、更に端末装置を具備してなる認証システムである。
【００１４】
前記携帯端末装置は、撮影手段を有する。又、位置情報獲得手段を有する。又、通信手段を有する。又、必要に応じて、タイマを有する。そして、前記撮影手段で得た画像情報、前記位置情報獲得手段で得た位置情報、及び該携帯端末装置の識別情報を、前記通信手段を介して送信させる制御手段を有する。尚、前記制御手段は、必要に応じて、前記タイマで得た送信時刻情報をも送信させることが出来るように構成されている。
【００１５】
前記サーバは、通信手段を有する。又、記憶手段を有する。又、タイマを有する。更に、前記携帯端末装置から送信されて来た情報を該サーバの通信手段が受信した際の前記サーバのタイマによる受信時刻情報と、該サーバの通信手段が受信した情報とを関連付けて前記記憶手段に記憶させる制御手段を有する。そして、好ましくは、前記端末装置から携帯端末装置の識別情報を受信した場合、制御手段は、該識別情報を基にして前記記憶手段に記憶されている情報を読み出させ、該読み出した情報を該端末装置に送信させるよう構成されている。
【００１６】
本発明の認証方法は、携帯端末装置が撮影する撮影ステップを有する。又、携帯端末装置が位置情報を獲得する位置情報獲得ステップを有する。そして、携帯端末装置が、前記撮影ステップで得た画像情報、前記位置情報獲得ステップで得た位置情報、及び該携帯端末装置の識別情報を送信する送信ステップを有する。又、サーバが、前記送信ステップで送信されて来た情報を受信する受信ステップを有する。そして、サーバが、前記受信ステップで受信した情報と、該受信ステップで受信した受信時刻情報とを記憶する記憶ステップを有する。又、必要に応じて、端末装置が、携帯端末装置の識別情報をサーバに送信する識別情報送信ステップを有する。そして、前記識別情報送信ステップで送信されて来た情報を基にして、サーバが、記憶している画像情報、位置情報、及び時刻情報を、前記端末装置に送信する送信ステップを有する。
【００１７】
以下、更に詳しく説明する。
図１は本発明になる認証システムのブロック図、図２及び図３は本発明になる認証方法のフローチャートである。
【００１８】
各図中、Ａは携帯電話機などの携帯端末装置、Ｂは認証局に設置されているサーバ、Ｃは認証局に加盟のオフィスなどに配置のパソコンと言った端末装置である。勿論、Ｃが携帯端末装置であっても良い。そして、携帯端末装置ＡとサーバＢとは無線回線などの通信回線を介して接続されており、又、サーバＢと端末装置Ｃとは通信回線を介して接続されている。
【００１９】
１は携帯電話機Ａに内蔵のカメラ（撮影手段）、２は携帯電話機Ａに内蔵のＧＰＳ（Global Positioning System (全地球測位システム)：位置情報獲得手段）、３は携帯電話機Ａの通信手段、４は携帯電話機Ａに内蔵のタイマ、５は携帯電話機Ａに内蔵のＣＰＵ（制御手段）である。携帯電話機ＡのＣＰＵ５は、カメラ１で撮影した画像情報、ＧＰＳ２で得た位置情報、タイマ４で得た送信時の時刻情報、及び携帯電話機Ａの識別情報（電話番号）を、通信手段３を介して、サーバＢに向けて送信させるように構成されている。
【００２０】
６はサーバＢの入力手段（例えば、キーボード等）、７はサーバＢの出力手段（例えば、プリンタとか液晶画面など）、８はサーバＢのメモリ（記憶手段）、９はサーバＢの通信手段、１０はサーバＢに内蔵のタイマ、１１はサーバＢに内蔵のＣＰＵ（制御手段）である。サーバＢのＣＰＵ１１は、携帯電話機Ａから送信されて来た情報（画像情報、位置情報、送信時刻情報、及び識別情報）を通信手段９で受信させ、この受信情報とサーバＢのタイマ１０で得た受信時刻情報とを関連付けてメモリ８に記憶させるように構成されている。又、後述の端末装置Ｃから携帯電話機の識別情報が送信されて来た場合、サーバＢのＣＰＵ１１は、これを受信させ、この受信した携帯電話機Ａの識別情報に基づいて、メモリ８から、該当する画像情報、位置情報、送信時刻情報、及び受信時刻情報を読み出し、この読み出した情報（画像情報、位置情報、送信時刻情報、及び受信時刻情報、更には読み出しに用いた識別情報）を端末装置Ｃに向けて送信させるように構成されている。
【００２１】
１２は端末装置Ｃの入力手段（例えば、キーボード等）、１３は端末装置Ｃの出力手段（例えば、プリンタとか液晶画面など）、１４は端末装置Ｃのメモリ（記憶手段）、１５は端末装置Ｃの通信手段、１６は端末装置ＣのＣＰＵ（制御手段）である。そして、端末装置ＣのＣＰＵ１６は、入力手段１２で入力された携帯電話機Ａの識別情報（電話番号）を通信手段１５を介してサーバＢに向けて送信させ、この送信情報に基づいてサーバＢがメモリ８から読み出して送信して来た情報を受信させ、そしてメモリ１４に記憶させ、又、出力手段１３に出力させるように構成されている。
【００２２】
次に、上記のように構成させた認証システムの動作について図２及び図３を参照しながら説明する。
【００２３】
先ず、携帯電話機Ａのカメラ１で対象個所を撮影する（ステップ１）。これと共に、撮影時点における撮影場所の位置情報をＧＰＳ２で得る（ステップ２）。この後、通信手段３を介して、ステップ１で得た画像情報とステップ２で得た位置情報とを、サーバＢに向けて送信する（ステップ３）。この時、携帯電話機Ａの識別情報（電話番号）も同時に送信する。更に、タイマ４による送信時の時刻情報をも同時に送信する。すなわち、ステップ３では、ステップ１で得た画像情報、ステップ２で得た位置情報、携帯電話機の識別情報、及びタイマ４による送信時の時刻情報が送信される。
【００２４】
そうすると、サーバＢの通信手段９は、携帯電話機Ａから送信されて来た情報（画像情報、位置情報、識別情報、送信時刻情報）を受信する（ステップ４）。受信後、ＣＰＵ１１は受信情報をメモリ８に記憶させる（ステップ５）。このメモリ８への記憶に際して、ＣＰＵ１１は、サーバＢのタイマ１０で得た受信時刻の情報を併せてメモリ８に記憶させる。すなわち、メモリ８には、携帯電話機Ａの識別情報に関連付けて、画像情報と位置情報と受信時刻情報と送信時刻情報とが記憶させられる。
【００２５】
携帯電話機Ａの保持者は、必要に応じて、撮影作業を繰り返し行なう。そして、撮影した画像情報および位置情報をサーバＢに向けて送信し、メモリ８に情報を次々と記憶させておく。通常は、これで、終了する。すなわち、格別な事態が起きない限り、携帯電話機Ａから送られてくる所定の情報をサーバＢが受信して記憶するのみである。
【００２６】
しかしながら、認証局に加盟しているオフィスの在籍者が、携帯電話機Ａの保持者の態様を調べようとした場合は、次のようなステップが繰り返される。
【００２７】
すなわち、オフィスの在籍者（携帯電話機Ａの保持者の上司）は、端末装置Ｃの入力手段１２を用いて、携帯電話機Ａの識別情報（電話番号）を入力する。この入力情報が通信手段１５を介してサーバＢに送信される（ステップ１１）。端末装置Ｃから送信されて来た携帯電話機Ａの識別情報をサーバＢが受信すると、サーバＢのＣＰＵ１１はメモリ８から該識別情報に関連した情報を読み出す（ステップ１２）。すなわち、ステップ１２では、携帯電話機Ａの識別情報に関連付けて記憶している一連の画像情報・位置情報・受信時刻情報・送信時刻情報が読み出される。そして、この読み出された一連の画像情報・位置情報・受信時刻情報・送信時刻情報と、識別情報とを、サーバＢは端末装置Ｃに向けて送信する（ステップ１３）。これを受け、端末装置ＣのＣＰＵ１６は、送信されて来た情報を受信させ、メモリ１４に記憶させると共に出力手段１３で出力させる（ステップ１４）。
【００２８】
そして、上記のように構成させていると、携帯電話機Ａの保持者が、何時、何所で、何をしているかがチェックできるようになる。すなわち、ＧＰＳ機能によって得られた位置情報とカメラによって得られた画像情報とを、離れた場所にいても確認でき、特に、後日でも、サーバＢのタイマで得た受信時刻において、ＧＰＳ機能によって得られた位置情報とカメラによって得られた画像情報とを、離れた場所にいても確認できる。従って、携帯電話機Ａの保持者がサーバＢに向けて情報を送信している限り、携帯電話機Ａの保持者の仕事ぶりをチェックできるようになる。従って、仮に、営業マンが本件発明の携帯電話機Ａを操作しておれば、その営業マンに成果が出ていなくとも、仕事の遣り方を評価できるようになる。又、工事現場などの写真を撮影してサーバＢに送信しておけば、ＧＰＳ機能で特定された撮影場所における特定時刻の現場写真を手にすることが出来、何時の時点で如何に出来ているかのチェックが正確に出来るようになる。すなわち、位置情報と、該位置情報で特定される位置での画像情報と、略撮影時点（受信時刻）での時刻情報とがワンセットで記憶されているから、携帯電話機Ａの保持者の正確な行動のチェックや、特定時刻での特定現場での画像情報が誤魔化し無く正確に得られる。従って、営業武器として非常に有益なものである。
【００２９】
尚、基本的に必要な時刻情報は受信時刻情報である。但し、送信時刻情報をも併せて記憶させておくと、送信時刻と受信時刻とに実質上差異が無い場合には問題ないものの、送信時刻と受信時刻とに実質上差異が有る場合、携帯電話機Ａの保持者は時間のズレが有ることを認識できるようになる。その結果、保持者が記憶を呼び覚ますに際して、この時間のズレを考慮に入れることが出来るので、何時、何所に居たかの思い出しが容易になる。
【図面の簡単な説明】
【００３０】
【図１】本発明になる認証システムのブロック図
【図２】本発明になる認証方法のフローチャート
【図３】本発明になる認証方法のフローチャート
【符号の説明】
【００３１】
Ａ          携帯電話機（携帯端末装置）
Ｂ          サーバ
Ｃ          パソコン（端末装置）
１          カメラ（撮影手段）
２          ＧＰＳ（位置情報獲得手段）
３          通信手段
４          タイマ
５          ＣＰＵ（制御手段）
６，１２    入力手段
７，１３    出力手段
８，１４    メモリ（記憶手段）
９，１５    通信手段
１０        タイマ
１１，１６  ＣＰＵ（制御手段）
代  理  人      宇  高    克  己
【図１】
2009003760.tif 000003
【図２】
2009003760.tif 000004
【図３】
2009003760.tif 000005